(57)【要約】【課題】救急災害発生時等に被搬送者を搬送する際、被搬送者の継続的な容態観察や適切な応急処置が可能で、さらに被搬送者から出た、液状物および／または固形物が搬送用具の外に漏洩し、外部環境や救急車の車内をやむを得ず汚したりすることを防止する搬送用具を提供する。【解決手段】本発明の搬送用具１は、隅部２ａ、２ｂ、２ｃ、２ｄを構成する対向する２つの縁部６、７に一対の第一着脱部材３ａ、３ｂを設けた、被搬送者４を載せるための平面視長方形の撥水性シート５を備え、第一着脱部材３ａ、３ｂを結合することによって、撥水性シート５の四隅２ａ、２ｂ、２ｃ、２ｄおよび四辺の縁部６、７を立ち上げて、撥水性シート５上の液状物および／または固形物１４の漏洩を防止する。【選択図】図１
2020171654.tif 000002
【特許請求の範囲】
【請求項１】
隅部を構成する対向する２つの縁部に一対の第一着脱部材を設けた、被搬送者を載せるための平面視長方形の撥水性シートを備え、
前記第一着脱部材を結合することによって、前記撥水性シートの四隅および四辺縁部を立ち上げて、前記撥水性シート上の液状物および／または固形物の漏洩を防止することを特徴とする搬送用具。
【請求項２】
前記撥水性シートに、
両端に第二着脱部材を設けた、前記被搬送者を前記撥水性シートに固定するためのベルトを備え、
前記第一着脱部材を結合するとともに、前記ベルトに備える前記第二着脱部材を結合することによって、前記撥水性シートの長辺に沿った縁部を更に深く立ち上げて、前記撥水性シートが動揺した際にも、前記撥水性シート上の液状物および／または固形物の漏洩を防止することを特徴とする請求項１に記載の搬送用具。
【請求項３】
前記撥水性シートの縁部に、
排出口を１箇所以上設けたことを特徴とする請求項１または請求項２に記載の搬送用具。
【請求項４】
さらに、前記排出口に第三着脱部材を設けるとともに、
前記第三着脱部材と脱着可能な第四着脱部材を設けた回収具を備え、
前記回収具により前記撥水性シート上の液状物および／または固形物を回収することを特徴とする請求項３に記載の搬送用具。
【請求項５】
前記撥水性シートの長辺に沿った縁部に複数の把手を設けたことを特徴とする請求項１から請求項４のいずれか一項に記載の搬送用具。
【発明の詳細な説明】
【技術分野】
【０００１】  この発明は、救急災害発生時等に被搬送者を搬送する際に好適な搬送用具に関する。
【背景技術】
【０００２】  災害、事故、病気等の救急災害発生時等に被搬送者を搬送する場合には、被搬送者からやむをえず出た、体液や血液などの液状物および／または血液の塊や胃から出る吐瀉物などの固形物が、搬送用具の外に漏洩し、外部環境や救急車の車内をやむを得ず汚したりすることが問題となっている。
そこで、この漏洩を防止する搬送用具として、救急災害発生時等に被搬送者を運ぶ緊急用袋式担架の内部に吸水層を配設して、被搬送者から出た、液状物および／または固形物の漏洩を防止している搬送用具が示されている（例えば、特許文献１参照）。
特許文献１によると、被搬送者から出た、液状物および／または固形物を吸水層に吸水させ、前記担架の内部に溜めて、前記担架の外部に漏洩させないことで、液状物および／または固形物が救護人に付着することや外部環境を汚すことなどを確実に防止することができるとしている。
【先行技術文献】
【特許文献】
【０００３】
【特許文献１】登録実用新案公報  第３０５５８１３号
【発明の概要】
【発明が解決しようとする課題】
【０００４】  しかし、特許文献１は、被搬送者の全身を袋状に覆うため、被搬送者の身体の具体的な状況の把握が難しく、被搬送者の継続的な容態観察や適切な応急処置の妨げになるといった課題がある。【０００５】  本発明の目的は、この課題を解決するものであり、被搬送者の継続的な容態観察や適切な応急処置が可能で、更に被搬送者からやむをえず出た体液や血液などの液状物および／または血液の塊や胃から出る吐瀉物などの固形物が搬送用具の外に漏洩する、または、外部環境や救急車の車内をやむを得ず汚したりすることを防止する搬送用具を提供することにある。
【課題を解決するための手段】
【０００６】  上記目的を達成するために、本発明の搬送用具は、隅部を構成する対向する２つの縁部に一対の第一着脱部材を設けた、被搬送者を載せるための平面視長方形の撥水性シートを備え、前記第一着脱部材を結合することによって、前記撥水性シートの四隅および四辺縁部を立ち上げて、前記撥水性シート上の液状物および／または固形物の漏洩を防止することを特徴とする。
【発明の効果】
【０００７】  本発明によれば、救急災害発生時等に被搬送者を搬送する際、被搬送者の継続的な容態観察や適切な応急処置が可能で、更に被搬送者から出た液状物および／または固形物が、搬送用具の外に漏洩するのを防止する。これにより、外部環境を清浄に保つとともに救急車内等の汚染を抑え、早期に次の救急災害事案等に対応することができる。
【図面の簡単な説明】
【０００８】
【図１】本発明の実施の形態にかかる搬送用具を上方から見た模式図
【図２】搬送用具の隅部を拡大した模式図で、（ａ）第一着脱部材の配置を示す模式図、（ｂ）第一着脱部材を結合した形状を示す模式図
【図３】搬送用具の隅部を拡大した模式図で、（ａ）別の第一着脱部材の配置を示す模式図、（ｂ）別の第一着脱部材を結合した形状を示す模式図
【図４】搬送用具の隅部および四辺の縁部を立ち上げた時の模式図
【図５】被搬送者を撥水性シートに固定するベルトの配設を示す模式図
【図６】ベルトの両端を拡大した模式図で、（ａ）第二着脱部材の配置を示す模式図、（ｂ）第二着脱部材を結合した形状を示す模式図
【図７】ベルトの両端を拡大した模式図で、（ａ）別の第二着脱部材の配置を示す模式図、（ｂ）別の第二着脱部材を結合した形状を示す模式図
【図８】搬送用具を裏面から見た模式図
【図９】長辺の縁部に設けた排出口の配設を示す模式図
【図１０】排出口を拡大した模式図で、（ａ）第三着脱部材の配置を示す模式図、（ｂ）排出口を展開した形状を示す模式図
【図１１】排出口を拡大した模式図で、（ａ）別の第三着脱部材の配置を示す模式図、（ｂ）排出口を展開した形状を示す模式図
【図１２】（ａ）回収具の模式図、（ｂ）回収具の受け口を平面に開いた模式図で、第四着脱部材の配置を示す模式図、（ｃ）回収具の受け口を平面に開いた模式図で、別の第四着脱部材の配置を示す模式図
【図１３】排出口に回収具を結合した形状を示す模式図
【図１４】撥水性シート上の液状物および／または固形物を回収具に排出する状況を示す模式図
【図１５】長辺の縁部に設けた把手の配設を示す模式図
【発明を実施するための形態】
【０００９】  以下、本発明の実施の形態について、図面を参照しながら説明する。なお、同じ構成要素には同じ符号を付しており、説明を省略する場合もある。また、図面は、理解しやすくするためにそれぞれの構成要素を主体的に模式的に示している。
【００１０】  （実施の形態）
図１は、本発明の実施の形態にかかる搬送用具１を上方から見た模式図である。図２および図３は、搬送用具１の隅部２ｃを拡大した模式図で、図２（ａ）は第一着脱部材３（３ａ、３ａ’）の配置を示す模式図、図２（ｂ）は、第一着脱部材３（３ａ、３ａ’）を結合した形状を示す模式図である。図３（ａ）は、別の第一着脱部材３（３ｂ、３ｂ’）の配置を示す模式図、図３（ｂ）は、別の第一着脱部材３（３ｂ、３ｂ’）を結合した形状を示す模式図である。図４は、搬送用具１の隅部２（２ａ、２ｂ、２ｃ、２ｄ）および四辺の縁部６、７を立ち上げた時の模式図である。
【００１１】  図１に示すように、本実施の形態の搬送用具１は、隅部２（２ａ、２ｂ、２ｃ、２ｄ）を構成する対向する２つの縁部６、７に一対の第一着脱部材３（３ａ、３ａ’、３ｂ、３ｂ’）を設けた、被搬送者４を載せるための平面視長方形の撥水性シート５を備えた構成である。そして、第一着脱部材３（３ａ、３ａ’、３ｂ、３ｂ’）を結合することによって、撥水性シート５の隅部２（２ａ、２ｂ、２ｃ、２ｄ）がある四隅および縁部６、７を含む四辺縁部を立ち上げる。これにより、図４に示すような搬送用具１の四隅および四辺縁部が立ち上がる形状とし、撥水性シート５上の液状物および／または固形物１４の漏洩を防止する構成としている。なお、隅部２は、図１に示すように、四つの隅部２ａ、２ｂ、２ｃ、２ｄから構成されている。また、第一着脱部材３は、図２および図３に示すように、二種類の着脱部材３ａ、３ａ’、３ｂ、３ｂ’から構成されている。
【００１２】  この構成により、救済災害発生時等に被搬送者４を搬送する際、被搬送者４からやむをえず出た体液や血液などの液状物１４および／または、血液の塊や胃から出る吐瀉物などの固形物１４が、搬送用具１から外に漏洩するのを防止することができる。これにより、外部環境をこれらの液状物および／または固形物１４で汚すことなく清浄に保つとともに、被搬送者４を搬送する救急車の車内等の汚染を抑え、早期に次の救急災害事案等に対応することができる。
【００１３】  図１に示す搬送用具１は、主要部として撥水性シート５を備えている。この撥水牲シート５の形状は、例えば、長辺１１に沿った縁部６が２００ｃｍ、短辺１０に沿った縁部７が６０ｃｍの平面視長方形をしており、救急災害発生時に救助する被搬送者４を載せて、救急車や病院等に安全に搬送できる大きさとしている。また、撥水性シート５の表面には、被搬送者４から生じる液状物および／または固形物１４をシートの内部に浸透させず、表面に留めておくためコーティングを施している。このコーティングには、公示のコーティング剤を使用し、撥水性シート５として使用するビニール製シートの表面は、例えば、数十ミクロン程度コーティングされている。
【００１４】  ところで、図１に示すように搬送用具１は、長辺１１に沿った縁部６および短辺１０に沿った縁部７が、谷折り線８、９に沿って折り曲げることができる構造としている。この搬送用具１には、平面視長方形の四隅に隅部２（２ａ、２ｂ、２ｃ、２ｄ）が構成されており、これらを構成する対向する２つの縁部６、７の両端に一対の第一着脱部材３（３ａ、３ａ’、３ｂ、３ｂ’）を設けている。第一着脱部材３（３ａ、３ａ’、３ｂ、３ｂ’）は、いろいろなものが利用できるが、例えば、図２（ａ）に示すような、凸部と凹部が一対となった留め具を第一着脱部材３（３ａ、３ａ’）として使用しても良い。この場合には、例えば、スナップボタンで留め具を構成し、図２（ａ）に示すように凸部または凹部の留め具のどちらか一方を短辺１０側に配設し、他方を長辺１１側に配設して、凸部と凹部とが一対となるようにしている。配設する位置については、例えば、凸部の留め具は、隅部２ｃの頂点部１２から短辺１０に沿って約４ｃｍ、更にそこから長辺１１に沿った方向に約２ｃｍの位置に配設する。凹部の留め具は、隅部２ｃの頂点部１２から長辺１１に沿って約４ｃｍ、更にそこから短辺１０に沿った方向に約２ｃｍの位置に配設している。このように配設して、搬送用具１の四隅および四辺縁部が立ち上がる形状にするときには、隅部２ｃに配設した第一着脱部材３ａ、３ａ’の凸部と凹部との留め具を押し合わせて結合するように、隅部２ｃの頂点部１２を起点とする谷折り線１３に沿って隅部２ｃを折り曲げて、図２（ｂ）に示す形状に形成する。
【００１５】  また、図３（ａ）に示すように、第一着脱部材３（３ｂ、３ｂ’）にかぎ状の突起面と輪状の起毛面が一対となったテープ、例えば、面ファスナーを使用する場合には、突起面または起毛面のいずれかを有するテープの一方を短辺１０側に、他方を長辺１１側に配設する。これにより、かぎ状の突起面と輪状の起毛面が一対となるように配設している。配設する位置については、例えば、かぎ状の突起面のテープを隅部２ｃの頂点部１２から短辺１０に沿って約４ｃｍ、更にそこから長辺１１に沿った方向に約２ｃｍの位置に配設する。輪状の起毛面のテープは、隅部２ｃの頂点部１２から長辺１１に沿って約４ｃｍ、更にそこから短辺１０に沿った方向に約２ｃｍの位置に配設している。このように配設して、搬送用具１の四隅および四辺縁部が立ち上がる形状にするときには、隅部２ｃに配設した第一着脱部材３ｂ，３ｂ’の突起面と起毛面とのテープを押し合わせて結合するように、隅部２ｃの頂点部１２を起点とする谷折り線１３に沿って隅部２ｃを折り曲げて図３（ｂ）に示す形状に形成する。
【００１６】  図２および図３で示すように、第一着脱部材３（３ａ、３ａ‘、３ｂ、３ｂ’）の一対の留め具または一対のテープを結合することにより、搬送用具１の四隅および四辺縁部が、例えば、高さ約５ｃｍに立ち上がる形状となっているので、図１に示す平面視長方形の撥水性シート５の被搬送者４からやむをえず出た体液や血液などの液状物１４および／または、血液の塊や胃から出る吐瀉物などの固形物１４が、搬送用具１から外に漏洩するのを防止することができる。
【００１７】  これにより、外部環境をこれらの液状物および／または固形物１４で汚すことなく清浄に保つとともに、被搬送者４を搬送する救急車の車内等の汚染を抑え、早期に次の救急災害事案等に対応することができる。
【００１８】  図５は、搬送用具１の隅部２（２ａ、２ｂ、２ｃ、２ｄ）および四辺の縁部６、７を立ち上げた時の模式図で、被搬送者４を撥水性シート５に固定するベルト１５の配設を示している。図６は、ベルト１５の両端を拡大した模式図で、図６（ａ）は、第二着脱部材１６（１６ａ、１６ａ’）の配置を示す模式図、図６（ｂ）は、第二着脱部材１６（１６ａ、１６ａ’）を結合した形状を示す模式図である。図７は、ベルト１５の両端を拡大した模式図で、図７（ａ）は、別の第二着脱部材１６（１６ｂ、１６ｂ’）の配置を示す模式図、図７（ｂ）は、別の第二着脱部材１６（１６ｂ、１６ｂ’）を結合した形状を示す模式図である。図８は、搬送用具１の裏面を上方から見た模式図である。
【００１９】  図５に示すように、本発明の搬送用具１は、撥水性シート５に、両端に第二着脱部材１６（１６ａ、１６ａ’、１６ｂ、１６ｂ’）を設けた、被搬送者４を撥水性シート５に固定するためのベルト１５を備えた構成とすることもできる。そして、第一着脱部材３（３ａ、３ａ’、３ｂ、３ｂ’）を結合するとともに、ベルト１５に備える第二着脱部材１６（１６ａ、１６ａ’、１６ｂ、１６ｂ’）を結合することによって、撥水性シート５の四隅および四辺縁部を更に深く立ち上げて、撥水性シート５が動揺した際にも、撥水性シート５上の液状物および／または固形物１４の漏洩を防止する構成としている。ここで四隅とは、撥水性シート５の隅部２（２ａ、２ｂ、２ｃ、２ｄ）で、四辺縁部とは、撥水性シート５の長辺１１に沿った縁部６と短辺１０に沿った縁部７である。また、第二着脱部材１６は、図６および図７に示すように、二種類の着脱部材１６ａ、１６ａ’、１６ｂ、１６ｂ’から構成されている。
【００２０】  この構成により、撥水性シート５に被搬送者４を確実に固定でき、また、長辺１１に沿った縁部６を深く立ち上げた形状を継続できるため、救済災害発生時等に被搬送者４を搬送する際、搬送用具１が動揺した場合や、撥水性シート５上の液状物および／または固形物１４が多い場合にも、撥水性シート５上の液状物および／または固形物１４が搬送用具１から外に漏洩するのをより一層防止することができる。
【００２１】  図５に示す搬送用具１は、被搬送者４を固定するベルト１５を備えている。このベルト１５の形状は、例えば、幅約５ｃｍ、長さ約１５０ｃｍで、被搬送者４が撥水性シート５から落下するのを防止することができる大きさとしている。なお、ベルト１５の位置は、限定されるものではないが、被搬送者４の上半身と下半身を固定できる位置に配設することが望ましい。
【００２２】  ところで、図６および図７に示すように、ベルト１５の両端に一対の第二着脱部材１６（１６ａ、１６ａ’、１６ｂ、１６ｂ’）を設けている。第二着脱部材１６（１６ａ、１６ａ’、１６ｂ、１６ｂ’）は、いろいろなものが利用できるが、例えば、図６（ａ）に示すような、凸部と凹部が一対となった留め具を第二着脱部材１６（１６ａ、１６ａ‘）として使用しても良い。この場合には、例えばバックルで留め具を構成し、図６（ａ）に示すように凸部と凹部の留め具が一対となるようにベルト１５の両端に配設している。このように配設して、被搬送者４を撥水性シート５に固定するときには、ベルト１５の両端に配設した第二着脱部材１６（１６ａ、１６ａ’）の凸部と凹部との留め具を押し合わせて結合して、図６（ｂ）に示す形状に形成する。
【００２３】  また、図７（ａ）に示すように、第二着脱部材１６（１６ｂ、１６ｂ’）にかぎ状の突起面と輪状の起毛面が一対となったテープ、例えば、面ファスナーを使用する場合には、かぎ状の突起面と輪状の起毛面が一対となるようにベルト１５の両端に配設している。このように配設して、被搬送者４を撥水性シート５に固定するときには、ベルト１５の両端に配設した第二着脱部材１６（１６ｂ、１６ｂ’）のかぎ状の突起面と輪状の起毛面とのテープを押し合わせて結合して、図７（ｂ）に示す形状に形成する。
【００２４】  さらに、図８に示すように、搬送用具１の裏面にはベルト１５を通すループ１７を配設している。ループ１７は搬送用具１の裏面の長辺１１に沿った縁部６付近の、ベルト１５で被搬送者４を固定できる位置、望ましくは、被搬送者４の上半身部と下半身部とをそれぞれ通るような位置に配設している。これにより、被搬送者４を効果的に搬送用具１に固定することができる。
【００２５】  図６および図７で示すように、ベルト１５に配設した第二着脱部材１６（１６ａ、１６ａ‘、１６ｂ、１６ｂ’）の一対の留め具または一対のテープを結合することにより、図５に示すように、被搬送者４の上半身と下半身を固定することができる。そして、搬送用具１の長辺１１に沿った縁部６を、搬送用具１の外側からベルト１５で巻き込む形状で更に深く立ち上げて固定することができる。
【００２６】  これにより、撥水性シート５に被搬送者４を確実に固定でき、また、救済災害発生時等に被搬送者４を搬送する際、搬送用具１が動揺した場合や、撥水性シート５上の液状物および／または固形物１４が多い場合にも、撥水性シート５上の液状物および／または固形物１４が搬送用具１から外に漏洩するのをより一層防止することができる。
【００２７】  図９は、搬送用具１の隅部２（２ａ、２ｂ、２ｃ、２ｄ）および四辺の縁部６、７を立ち上げた時の模式図で、排出口１８の配設を示している。図１０および図１１は、排出口１８を拡大した模式図で、図１０（ａ）は、第三着脱部材２０（２０ａ、２０ａ’）の配置を示す模式図、図１０（ｂ）は、排出口１８を展開した形状を示す模式図である。図１１（ａ）は、別の第三着脱部材２０（２０ｂ、２０ｂ’）の配置を示す模式図、図１１（ｂ）は、排出口１８を展開した形状を示す模式図である。
【００２８】  図９に示すように、搬送用具１の撥水性シート５の縁部に、排出口１８を１個以上設けた構成としている。ここで縁部とは、撥水性シート５の長辺１１に沿った縁部６と短辺１０に沿った縁部７である。なお、排出口１８の位置は、限定されるものではないが、被搬送者４を撥水性シート５に載せた際に、被搬送者４の頭部および／または臀部付近となる位置に配設することが望ましい。
【００２９】  この構成により、救済災害発生時等に被搬送者４を搬送する際は、撥水性シート５上の液状物および／または固形物１４が搬送用具１から外に漏洩するのを防止することができ、撥水性シート５上の液状物および／または固形物１４を搬送用具１の外に排出する際は、撥水性シート５上の液状物および／または固形物１４を外部に飛散させることなく、排出口１８から安全に排出することができる。
【００３０】  図９に示す排出口１８は、撥水性シート５上の液状物および／または固形物１４の排出に効果的な位置、例えば、被搬送者４を撥水性シート５に載せた際に、被搬送者４の頭部および／または臀部付近となる位置に配設している。
【００３１】  ところで、図１０および図１１に示すように、排出口１８の両側面には、折りたたみ式の漏洩防止カバー１９を備えている。漏洩防止カバー１９は、三角の形状で、排出口１８を長辺１１に沿った縁部６に収納する際は、漏洩防止カバー１９の頂点と底辺を結ぶ谷折り線２１に沿って漏洩防止カバー１９を折りたたむ構造としている。また、漏洩防止カバー１９には一対の第三着脱部材２０（２０ａ、２０ａ’、２０ｂ、２０ｂ’）を設けている。第三着脱部材２０（２０ａ、２０ａ’、２０ｂ、２０ｂ’）は、いろいろなものが利用できるが、例えば、図１０（ａ）に示すような凸部と凹部が一対となった留め具を第三着脱部材２０（２０ａ、２０ａ’）として使用しても良い。この場合には、例えばスナップボタンで留め具を構成し、凸部と凹部の留め具を、漏洩防止カバー１９の外面の谷折り線２１をはさんで対向する位置に、凸部と凹部が一対となるように配設している。
【００３２】  また、図１１（ａ）に示すように、第三着脱部材２０（２０ｂ、２０ｂ’）にかぎ状の突起面と輪状の起毛面が一対となったテープ、例えば、面ファスナーを使用する場合には、かぎ状の突起面と輪状の起毛面のテープを、漏洩防止カバー１９の外面の谷折り線２１をはさんで対向する位置に、かぎ状の突起面と輪状の起毛面が一対となるように配設している。
【００３３】  排出口１８は、被搬送者４を搬送する際は、漏洩防止カバー１９を谷折りに折りたたみ、第三着脱部材２０（２０ａ、２０ａ’、２０ｂ、２０ｂ’）を結合することによって、図９に示すように、長辺１１に沿った縁部６に収納することができる。そして、撥水性シート５上の液状物および／または固形物１４を搬送用具１の外に排出する際は、図１０（ｂ）、図１１（ｂ）に示すように、第三着脱部材２０（２０ａ、２０ａ’、２０ｂ、２０ｂ’）を分離し漏洩防止カバー１９を広げることによって、排出口１８を長辺１１に沿った縁部６から直角に展開することができる。
【００３４】  これにより、救済災害発生時等に被搬送者４を搬送する際は、撥水性シート５上の液状物および／または固形物１４が搬送用具１から外に漏洩するのを防止することができる。そして、撥水性シート５上の液状物および／または固形物１４を搬送用具１の外に排出する際は、撥水性シート５上の液状物および／または固形物１４を外部に飛散させることなく、排出口１８から安全に排出することができる。
【００３５】  図１２（ａ）は、回収具２２の模式図である。図１２（ｂ）は、回収具２２の受け口２３を平面に開いた模式図で、第四着脱部材２４ａの配置を示している。図１２（ｃ）は、回収具２２の受け口２３を平面に開いた模式図で、別の第四着脱部材２４ｂの配置を示す模式図である。図１３は、排出口１８に回収具２２を結合した形状を示す模式図である。図１４は、撥水性シート５上の液状物および／または固形物１４を、回収具２２に排出する方法を示す模式図である。
【００３６】  図１３に示すように、排出口１８には、第三着脱部材２０（２０ａ、２０ａ’、２０ｂ、２０ｂ’）を設けるとともに、第三着脱部材２０（２０ａ、２０ａ’、２０ｂ、２０ｂ’）と脱着可能な第四着脱部材２４（２４ａ、２４ｂ）を設けた回収具２２を備えた構成である。そして、排出口１８に結合した回収具２２により、撥水性シート５上の液状物および／または固形物１４を回収する構成としている。なお、第三着脱部材２０は、図１０および図１１に示すように、二種類の着脱部材２０ａ、２０ａ’、２０ｂ、２０ｂ’から構成されている。また、第四着脱部材２４は、図１２に示すように、二種類の着脱部材２４ａ、２４ｂから構成されている。
【００３７】  この構成により、撥水性シート５上の液状物および／または固形物１４を搬送用具１の外に排出する際に、回収具２２を用手で保持することがないため、少ない救助者でより確実に撥水性シート５上の液状物および／または固形物１４を排出することができる。
【００３８】  図１２（ａ）に示す回収具２２の形状は、例えば、長さ３０ｃｍ、幅１５ｃｍ、容量７００ｃｃの袋状の容器で、撥水性シート５上の液状物および／または固形物１４を回収できる容量としている。
【００３９】  ところで、図１２（ｂ）および図１２（ｃ）に示すように、回収具２２の受け口２３の内面には左右一対となる第四着脱部材２４（２４ａ、２４ｂ）を配置している。第四着脱部材２４（２４ａ、２４ｂ）は、いろいろなものが利用できるが、例えば、図１２（ｂ）に示すように、凸部または凹部を有する留め具を第四着脱部材２４ａとして使用しても良い。この場合には、例えばスナップボタンで留め具を構成し、凸部または凹部の留め具を、受け口２３の内面の点線２５で区分した左右の三角部分２６の中央に配置している。
【００４０】  また、図１２（ｃ）に示すように、第四着脱部材２４ｂにかぎ状の突起面または輪状の起毛面を有するテープ、例えば、面ファスナーを使用する場合には、かぎ状の突起面または輪状の起毛面のどちらかのテープを、受け口２３の内面の点線２５で区分した左右の三角部分２６の中央に配設している。
【００４１】  排出口１８に配置した第三着脱部材２０（２０ａ、２０ａ’、２０ｂ、２０ｂ’）と、回収具２２に配置した第四着脱部材２４（２４ａ、２４ｂ）を結合して図１３に示すような形状とすることができる。そして、図１４に示すように、搬送用具１の把手２７を用手で保持して、排出口１８が下方に向く形状で搬送用具１を斜めに持ち上げることにより、撥水性シート５上の液状物および／または固形物１４を撥水性シート５の表面を滑らせて排出口１８に結合した回収具２２に排出することができる。
【００４２】  これにより、撥水性シート５上の液状物および／または固形物１４を搬送用具１の外に排出する際に、回収具２２を用手で保持することがないため、少ない救助者でより確実に撥水性シート５上の液状物および／または固形物１４を排出することができる。
【００４３】  図１５は、本発明の実施の形態にかかる搬送用具１を上方から見た模式図で、対向する長辺１１に沿った縁部６に設けた把手２７の配設を示している。
【００４４】  図１５に示すように、本発明の搬送用具１は、撥水性シート５の長辺１１に沿った縁部６に複数の把手２７を設けた構成としている。
【００４５】  この構成により、被搬送者４を載せた搬送用具１を救助者複数人が用手で保持することができる。また、図１４に示すように、撥水性シート５上の液状物および／または固形物１４を搬送用具１の外に排出する際に、救助者が排出口１８に対向する長辺１１に沿った縁部６に設けた把手２７を用手で保持し持ち上げることで、搬送用具１を容易に傾けることができる。
【００４６】  図１５に示す把手２７は、被搬送者４を搬送用具１に載せて搬送する際に、搬送用具１を安定して保持できる位置、例えば、対向する長辺１１に沿った縁部６の両端と被搬送者４の上半身付近と下半身付近となる位置に配設している。
【００４７】  これにより、被搬送者４を載せた搬送用具１の把手２７を救助者複数人が用手で保持することで、救済災害発生時等に搬送が必要な被搬送者４を安定して搬送することができる。また、撥水性シート５上の液状物および／または固形物１４を搬送用具１の外に排出する際に、救助者が排出口１８に対向する長辺１１に沿った縁部６に設けた把手２７を用手で保持し持ち上げることで、搬送用具１を傾けて、撥水性シート５上の液状物および／または固形物１４を容易に排出することができる。
【００４８】  第一着脱部材３（３ａ、３ａ’、３ｂ、３ｂ’）、第二着脱部材１６（１６ａ、１６ａ’、１６ｂ、１６ｂ’）、第三着脱部材２０（２０ａ、２０ａ’、２０ｂ、２０ｂ’）、第四着脱部材２４（２４ａ、２４ｂ）には、上述の凸部と凹部とが一対となった留め具、例えばスナップボタンや、かぎ状の突起面と輪状の起毛面とが一対となったテープ、例えば面ファスナーを用いて、搬送用具１の四隅および四辺縁部が立ち上がる形状とした。これら以外に、Ｎ極とＳ極とをそれぞれ磁極に持つ装置、例えば磁石を用いて、これらの磁力を利用して、Ｎ極とＳ極とを密着させることにより、搬送用具１の四隅および四辺縁部が立ち上がる形状としても良い。
【符号の説明】
【００４９】１  搬送用具
２，２ａ，２ｂ，２ｃ，２ｄ  隅部
３，３ａ，３ａ’，３ｂ，３ｂ’  第一着脱部材
４  被搬送者
５  撥水性シート
６，７  縁部
８，９，１３，２１  谷折り線
１０  短辺
１１  長辺
１２  隅部の頂点部
１４  液状物および／または固形物
１５  ベルト
１６，１６ａ，１６ａ’，１６ｂ，１６ｂ’  第二着脱部材
１７  ループ
１８  排出口
１９  漏洩防止カバー
２０，２０ａ，２０ａ’，２０ｂ，２０ｂ’  第三着脱部材
２２  回収具
２３  回収具の受け口
２４，２４ａ，２４ｂ  第四着脱部材
２５  区分線
２６  三角部分
２７  把手
【図１】
2020171654.tif 000003
【図２】
2020171654.tif 000004
【図３】
2020171654.tif 000005
【図４】
2020171654.tif 000006
【図５】
2020171654.tif 000007
【図６】
2020171654.tif 000008
【図７】
2020171654.tif 000009
【図８】
2020171654.tif 000010
【図９】
2020171654.tif 000011
【図１０】
2020171654.tif 000012
【図１１】
2020171654.tif 000013
【図１２】
2020171654.tif 000014
【図１３】
2020171654.tif 000015
【図１４】
2020171654.tif 000016
【図１５】
2020171654.tif 000017